(57)【要約】      （修正有）【課題】ねじ部の接続に使用するシールテープを雄ねじに密着させ牝ねじに対して確実に締め込むことで液漏れを解消させることができるシールテープ密着工具の提供。【解決手段】雄ねじに巻いたシールテープを工具を使って密着させて、雄ねじを整えた後、牝ねじに締め付ける。【選択図】図１
0003114045.tif 000002
【実用新案登録請求の範囲】
【請求項１】
ペンチ状鋏み先端にテーパー付きの二分割牝ねじ４、５をもつ圧着部１と軸３対称のハンドル部２操作により開閉可能な牝ねじ４、５間に雄ねじに巻いたシールテープを挟んで圧着させる特徴をもつシールテープ密着工具。
【請求項２】
テーパー付きの二分割牝ねじ１０、１１をもつ圧着部６の片方端部を蝶番８としてばね９で開くとともに二分割の牝ねじ１０、１１背面左右にハンドル７をつけて圧着部６を開閉可能にし、両者間に雄ねじに巻いたシールテープを挟んでハンドル７を合わせる方向に圧着させる特徴をもつシールテープ密着工具。
【請求項３】
テーパー付き三分割牝ねじ圧着部１２、１３、１４の外周をばね２４、２５で収束し内部から外方向にばね２４、２５で開くとともに三分割牝ねじ圧着部１２に直角方向のハンドル軸１５を挿通し、他の三分割牝ねじ圧着部１３、１４の端部１７を貫きハンドル軸受部１８を設けて軸他端には爪切状ハンドル１９をつけ、てこ部２０とハンドル軸受部１８間の三分割牝ねじ２６、２７を圧着開放可能にし、雄ねじに巻いたシールテープを圧着させる特徴をもつシールテープ密着工具。
【考案の詳細な説明】
【技術分野】
【０００１】  本考案は、給水、給湯配管工事に係る継手ねじ部の漏れを防止する隙間補填材、シールテープの密着工具に関する。
【背景技術】
【０００２】  管工事の継手部材Ｌ・・エルボ、Ｔ・・チーズや止水栓など、雄ねじと牝ねじの締め付けに際して、隙間を無くする補填材が用いられる、【０００３】  主なものとして液状シール材やテープ状シール材（シールテープ）を使用している、液状シール材と異なって凝固を待たず締め付け直後に加圧できるのでシールテープは広く普及している、【０００４】  しかしシールテープを工具を使って雄ねじに密着させる技術は本人の自作以外には認められていないし、平成６年以降のコンピュータ検索では確認されない。
【考案の開示】
【考案が解決しようとする課題】
【０００５】  管工事作業では事後の漏れに特段の注意をはらう必要があるが、不測の漏れは機器との接続部や壁内部の視認不能な箇所に漏れ、上階から下階に及ぶなど工事技能とともに、雄ねじにシールテープを密着させることが極めて重要である、【０００６】  しかし、雄ねじにシールテープを巻き素手で密着させようにも、ねじ底まで確実に押し込めないし手の爪でねじ山にならって詰める程度のことしかできなかった、【０００７】  また、牝ねじに締め付ける場合には雄ねじ先頭がシールテープの巻き付けで邪魔され、作業困難な場所などでは噛み合わせに時間がかかったし、充分な締め付けには困難な場合が多かった、【０００８】  更に、雄ねじへの巻き付けが弱いため雄ねじに締め付ける際に、ねじの隙間におさまらず後ろに押し込んでしまったり、巻きすぎて所定のねじ締め付けができないほか、巻きが少ないためにねじの隙間をうめきれず漏れを生じるなど、熟練の必要な技能的な課題があった。
【考案の開示】
【課題を解決するための手段】
【０００９】  ａ）  シールテープを雄ねじの山又は谷に密着させるには、ペンチ状の鋏み工具を使用する、即ち牝ねじ４、５状の二分割したものをハンドル２と軸３対称の鋏み形ねじ圧着部１を左右に固着し開閉可能にする、【００１０】  他方、雄ねじに巻いたシールテープ共に上記分割された牝ねじ４、５状の間に入れ、ハンドル２を手の圧力で押しシールテープを雄ねじの山又は谷部に密着させ、雄ねじを整えるように成る。【００１１】  ｂ）  シールテープを雄ねじの山又は谷に密着させるには、牝ねじ１０、１１状の二分割した双方の片側を蝶番８として対称方向に伸びるハンドル７を二分割した圧着部６それぞれに固着し開閉可能にばね９で常時開くようにする、【００１２】  他方、雄ねじに巻いたシールテープ共に上記二分割された牝ねじ１０、１１状の間に入れ、ハンドル７をばね９に抗して手の圧力で押しシールテープを雄ねじの山又は谷部に密着させ、雄ねじを整えるように成る。【００１３】  ｃ）  シールテープを雄ねじの山又は谷に密着させるには、牝ねじ圧着部１２、１３、１４に三分割したそれぞれをばね２４、２５で収束し別の強力ばね２２、２３を内から外方向にかけ、内口径を拡大させるとともに、【００１４】  三分割した牝ねじ圧着部１２の中央近傍に直角方向の軸１５を設け挿通１６し、他二枚１３、１４の端部１７を貫き軸受部１８で三分割牝ねじ圧着部１３、１４ねじ部を受ける、【００１５】  更に、軸１５他端には爪切状てこ２０、ハンドル１９を設けて三分割牝ねじ圧着部１２、１３、１４をばね２２、２３に抗して接近離反させ、開いた内側に雄ねじに巻いたシールテープ共に差し込み、ハンドル１９の押圧力で雄ねじに密着させるように成る。
【考案の開示】
【考案の効果】
【００１６】  給水給湯配管工事や機器の接続工事に際して、本考案のシールテープ密着工具を使用することにより雄ねじに確実に密着し、ねじ部からの漏れは無くなり特にストレートねじの締め付けでは水栓（蛇口）取り付けに良好な結果をもたらすとともに、管継手接続時の漏れ減少は各種施設のほか住宅設備等の保全に効果を発揮する。
【考案を実施するための最良の形態】
【００１７】  配管工事における雄ねじの接続にはテーパーねじ（ねじ部が先細りの管継手類に使用するもの）と、ストレートねじ（ねじ部が同径の止水栓類に使用するもの）が存在していて、テーパーねじにおいては漏れは少ない、【００１８】  しかし、ストレートねじではねじ部が同径であるから牝ねじに対して締め込んでも同じ状態で締め付けは利かない、従ってシールテープの巻き厚をかえたテーパーねじと同様の形成が必要である、【００１９】  この際に、本考案の配管ねじ部シールテープ密着工具では、予め形成している二分割１、６、三分割１２、１３、１４の牝ねじ状の圧着部４（１３ミリ）、５（２０ミリ）、１０（１３ミリ）、１１（２０ミリ）、２６（１３ミリ）、２７（２０ミリ）にテーパーをつけてあるから雄ねじに巻いたシールテープはテーパーねじ状に密着し、ストレートねじにあっても締め付けが利くのである。【００２０】  イ）  しかるに、ペンチ形工具ではハンドル部２と圧着部１から成り、予めテーパーを形成している二分割牝ねじ４、５状の圧着部１両方で被圧着の雄ねじに巻かれたシールテープごとハンドル２に握力を加えて挟むことで雄ねじにシールテープは確実に密着する、従ってテーパーねじ、ストレートねじいずれのねじ部からの漏れは無くなる。【００２１】  ロ）  蝶番形工具では予めテーパーを形成した二分割の牝ねじ１０、１１状の圧着部６の両方にハンドル７を固着しているから、被雄ねじに巻かれたシールテープごと蝶番ねじ９で開いている圧着部６に挟んでハンドル７に握力を加えて確実に密着させる、従ってテーパーねじ、ストレートねじいずれのねじ部からの漏れは無くなる。【００２２】  ハ）  三方締め付け形工具では、予めテーパーを形成した三分割の牝ねじ圧着部１２、１３、１４のそれぞれをばね２４、２５で収束し、内部からそれより強力なばね２２、２３で外方向に開き、三分割牝ねじ圧着部１２に取り付けた直角方向のハンドル軸１５は、他の二枚１３、１４の間を貫きハンドル軸受部１８により受けている、ハンドル軸１５他端には爪切状ハンドル１９をつけ、てこ支軸２１により可動に固着している、【００２３】  従って、三方締め付け形工具全体は外方向に開く力がかかっていて、収束ばね２４、２５及びてこ支軸２１により三分割の牝ねじ圧着部１２、１３、１４の圧着部２６、２７は分散することなく収束し爪切状ハンドル１９を握力で押すことにより、てこ部２０は牝ねじ１２状の圧着部２６、２７を内方向に押すとともにハンドル軸受部１８により牝ねじ圧着部１３、１４状の圧着部２６、２７を内方向に引き寄せるように締め付ける、【００２４】  爪切状ハンドル１９を離すとばね２２、２３の跳ね出しにより元の開いた状態に戻る、従って雄ねじに巻いたシールテープごと圧着部２６、２７間に差し込んで爪切状ハンドル１９を押しシールテープを密着させる、従ってテーパーねじ、ストレートねじいずれのねじ部からの漏れは無くなる。
【実施例】
【００２５】  図１〜２  ペンチ状のハンドル２に二分割の牝ねじ１状圧着部４、５で雄ねじに巻き付けたシールテープを密着させるが、被圧着部はシールテープであり極度に強い力をかける必要はなく、ねじ山、谷部に的確に密着する、しかし雄ねじのテーパーねじ、ストレートねじの他にも仕上がり寸法は同一ではなくシールテープの巻数などを図り、牝ねじへの締め付けが確実に行えるようになった。【００２６】  図３  牝ねじ１状の圧着部４、５の平面の開いた状態を示していて、ここに雄ねじに巻いたシールテープをそのまま入れて、ハンドル２の握力を加えると雄ねじに密着する。【００２７】  図４〜５  片蝶番形の牝ねじ６状二分割タイプで、開閉ばね９は常時開いていて雄ねじに巻いたシールテープをそのまま挟んで、ハンドル７を合わさる方向に握力を加えると雄ねじに圧着する、尚、蝶番ばね９を使用しなくても機能する。【００２８】  図６  牝ねじ三分割形の円筒状で常時跳ね出しばね２２、２３が円周の外方向に利いて開いている、前記二分割形に相違し雄ねじに巻いたシールテープは差し込み方式になるから使い易くなる。【００２９】  図７  図６のＡ−Ａ線断面の外方向に開きシールテープを巻いた雄ねじの差し込み可能な状態である。
図８  ハンドル１９を下げて、圧力のかかった状態で両側面の小口から差し込んだ雄ねじに巻かれたシールテープは密着される。
【産業上の利用可能性】
【００３０】  システムキッチン、ユニットバス、洗面化粧台など隠れた箇所の接続に信頼を向上させる。
【図面の簡単な説明】
【００３１】
【図１】鋏形密着工具の側面図
【図２】鋏形密着工具の正面図
【図３】鋏形密着工具の展開図
【図４】蝶番形密着工具の正面図
【図５】蝶番形密着工具の側面図
【図６】三分割形密着工具の側面図
【図７】三分割形密着工具の断面図
【図８】三分割形密着工具の正面の閉じた状態を示す
【符号の説明】
【００３２】  １‥‥‥鋏形ねじ圧着部                ２‥‥‥鋏形ハンドル
３‥‥‥鋏み軸                        ４‥‥‥１３ミリ牝ねじ部
５‥‥‥２０ミリ牝ねじ部              ６‥‥‥片蝶番形ねじ圧着部
７‥‥‥片蝶番形ハンドル              ８‥‥‥蝶番
９‥‥‥蝶番ばね                    １０‥‥‥１３ミリ牝ねじ部
１１‥‥‥２０ミリ牝ねじ部            １２‥‥‥三分割ねじ圧着部
１３‥‥‥三分割ねじ圧着部            １４‥‥‥三分割ねじ圧着部
１５‥‥‥三分割ハンドル軸            １６‥‥‥ハンドル軸貫通部
１７‥‥‥ハンドル軸貫通部            １８‥‥‥ハンドル軸受部
１９‥‥‥爪切状ハンドル              ２０‥‥‥てこ部
２１‥‥‥てこ支軸                    ２２‥‥‥跳ね出しばね
２３‥‥‥跳ね出しばね                ２４‥‥‥収束ばね
２５‥‥‥収束ばね                    ２６‥‥‥１３ミリ牝ねじ部
２７‥‥‥２０ミリ牝ねじ部
【図１】
0003114045.tif 000003
【図２】
0003114045.tif 000004
【図３】
0003114045.tif 000005
【図４】
0003114045.tif 000006
【図５】
0003114045.tif 000007
【図６】
0003114045.tif 000008
【図７】
0003114045.tif 000009
【図８】
0003114045.tif 000010